(57)【要約】【課題】金型などの荒加工に要求される縦送り加工、横送り加工、および傾斜切削を含む複合加工であっても、一本のエンドミルで高速で複合加工ができ、特にびびり振動を抑制して、切り屑つまりによる異常摩耗や刃欠けも生じない長寿命の超硬合金製エンドミルを提供する。【解決手段】複数の底刃及び複数の外周刃と、複数のギャッシュ面からなるギャッシュとを有する超硬合金製エンドミルであって、前記複数のギャッシュ面は、底刃のすくい面である第１ギャッシュ面、エンドミルの工具軸の回転中心側に設けられた第２ギャッシュ面、及びエンドミルの外周側に設けられた第３ギャッシュ面から成り、前記複数の外周刃は、エンドミルの軸直角断面視で外周面の周方向に隣接する外周刃が不等な分割角度で配置されたことを特徴とする超硬合金製エンドミルである。【選択図】図３
2011062807.tif 000002
【特許請求の範囲】
【請求項１】
複数の底刃及び複数の外周刃と、複数のギャッシュ面からなるギャッシュとを有する超硬合金製エンドミルであって、前記複数のギャッシュ面は、底刃のすくい面である第１ギャッシュ面、前記第１ギャッシュ面とは鋭角で交差して続きエンドミルの工具軸の回転中心側に設けられた第２ギャッシュ面、及び前記第１ギャッシュ面とは鈍角で交差して続きエンドミルの外周側かつ前記第２ギャッシュ面よりはエンドミルの後端側に設けられた第３ギャッシュ面から成り、前記複数の外周刃は、エンドミルの軸直角断面視でエンドミル外周面の周方向に隣接する外周刃が不等な分割角度で配置されたことを特徴とする超硬合金製エンドミル。
【請求項２】
複数の外周刃はエンドミルの軸直角断面視で外周面の周方向に隣接する外周刃が不等な分割角度で配置され、前記複数の外周刃の分割角度のうち、最大の外周刃の分割角度は、３６０°を外周刃の数で除した等分割角度に対し、２〜２０％の比率で大きく設けたことを特徴とする請求項１に記載の超硬合金製エンドミル。
【請求項３】
第１ギャッシュ面と第２ギャッシュ面の交差部と工具軸線に直交する平面とのなす角度を第１ギャッシュ角、前記第１ギャッシュ面と第３ギャッシュ面の交差部と工具軸線に直交する平面とのなす角度を第２ギャッシュ角としたとき、第１ギャッシュ角は１５°〜３５°、第２ギャッシュ角は４０°〜６０°であることを特徴とする請求項１または請求項２に記載の超硬合金製エンドミル。
【請求項４】
第２ギャッシュ面と第３ギャッシュ面のつなぎ部の長さは、工具回転軸からの距離として工具径の５％以上２０％未満としたことを特徴とする請求項１乃至請求項３のいずれかに記載の超硬合金製エンドミル。
【請求項５】
少なくとも底刃と外周刃には（ＴｉＡｌ）Ｎ系にＳｉを含有させた硬質皮膜が被覆されていることを特徴とする請求項１乃至請求項４のいずれかに記載の超硬合金製エンドミル。
【発明の詳細な説明】
【技術分野】
【０００１】  本発明は、荒切削から中仕上げ切削に用いる超硬合金製エンドミルに関する。
【背景技術】
【０００２】  本発明が対象とする従来の一般的なエンドミルは、外周刃に波形状やニックを有し、この波形状外周刃やニック付き外周刃は、各刃で削り残しが出ないように工具軸方向に等間隔で位相がずれているものが主流である。このような従来の波形状やニック付きの外周刃を有するエンドミルの用途は、普通刃エンドミルと比較して、切り屑を分断しやすく切削抵抗を低減して加工ができるため、工具径方向の切り込み量を大きくでき、高能率加工が可能である。その反面、加工面は普通刃エンドミルより粗くなるため、荒切削で用いることが多い。【０００３】  荒切削においても加工能率を上げるために、切り込み量を大きくして高能率加工を行うが、切り込み量を大きくするとびびり振動の問題が生じることが多い。特にエンドミルの軸心を中心にして回転方向に見たときに、外周面の周方向に隣接する２枚の切れ刃までの線分で挟まれる分割角が切れ刃ごとに等しい等分割エンドミルは、製造が極めて容易であるメリットがあるが、切削力の周期が一定であるため、加工中に共振が起こり、びびり振動が生じやすい。この対策として、製造上は費用と時間がかかるが、切れ刃の分割角を異なるようにして、切削力の周期を一定にしないことで振動の共鳴を防止し、工具本体のびびり振動を防止しようとする不等分割エンドミルが提案されている。【０００４】  その内、刃数が偶数である不等分割エンドミルは、隣接する切れ刃間では不等分割角であっても、エンドミルの回転軸に対して回転対称の位置では分割角が一致し、この部分での振動が共鳴する。特許文献１には、互いに異なる分割角を設けることで切削抵抗を分散切れ刃の分割角毎に異なるようにして、切削力の周期を一定にしないようにした不等分割エンドミルが提案されている。【０００５】  また、エンドミルによる荒切削においても加工能率を上げるために、切り込み量を大きくして高速切削による高能率加工を行う。しかし、切り込み量を大きくしすぎると切り屑の排出性が良好でなければ切削抵抗が大きくなる。切り屑の排出性を改善する目的ではいくつかの提案がなされている。【０００６】  特許文献２では、ギャッシュノッチ角が後端側に向かうに従い段階的に大きくなる複数段のギャッシュ面を構成したエンドミルが提案されている。縦送り時に大きな負荷が作用するエンドミル本体中心の先端側のギャッシュ面は強度を確保し、欠損等を防止でき、後端側のギャッシュ面は切り屑排出のための空間を確保するというものである。【０００７】  特許文献３では、エンドミル回転中心側とエンドミル外周側にギャッシュ面を設け外周側のギャッシュ角は回転中心側のギャッシュ角より大きく設けたエンドミルが提案されている。これにより、高硬度材の横送り加工時に、切り屑の排出性を向上させ、高速切削による高能率加工が可能であるとするものである。
【先行技術文献】
【特許文献】
【０００８】
【特許文献１】特開２０００−７１４号公報
【特許文献２】特開２００６−１５４１８号公報
【特許文献３】特開２００７−２９６５８８号公報
【発明の概要】
【発明が解決しようとする課題】
【０００９】  近年、金型加工や部品加工の高能率化への要求は一段と強く、荒切削加工においても高速機の普及と共に高速切削による高送り加工が注目されている。高速切削は切削速度を大きくすること、すなわち回転数を高く設定し、高能率加工を行う方法である。荒切削加工においては、波形状外周刃またはニック付き外周刃を持つエンドミルを用いて切り込み量を大きくし、さらに、回転数も高く設定し、高能率加工を行うことがあるが、従来のエンドミルでは、びびり振動が発生し、異常摩耗やチッピングの発生により寿命を短くするだけでなく、欠損や折損を引き起こす原因となっていた。【００１０】  エンドミルにおけるびびり振動を抑制する技術として、従来技術で説明したように等分割に代わって不等分割によるエンドミルが提案されている。不等分割を適用したエンドミルは適切な形状設計をすれば、一定のびびり振動を抑制する効果があるが、切れ刃が不均一に並んでいることから各刃の溝の大きさが異なり、切り屑の排出性で問題になることがあった。特に、本発明が対象とする外周刃に波形状やニックを設けたエンドミルにおいては、切り込みを大きくできるため、１刃で切削する量は大きく、刃溝に滞留する切り屑の量も極めて多い。ここで、刃溝の大きさが不均一になる不等分割刃型では、刃溝の大きさも不均一（不等）となり、通常の等分割エンドミルより小さくなる刃溝があるため、切り屑つまりによる異常摩耗や欠けなどの問題があった。この問題は高速切削に伴って多量に排出される切り屑の処理には特に重要な問題になる。【００１１】  近年の高能率加工の要求は一段と強く、工具を交換することなく一本のエンドミルで多方向を向いた被削材の加工を一度に行いたいという要望も強い。金型などの形状が複雑化すると、縦送り加工、横送り加工及び傾斜切削などが組み合わされた複合加工となる。このような場合には、従来は縦送りや横送りなどの切削加工方向に適した複数の切削工具を選択し工具交換して加工していたが、すべての加工を一本のエンドミルで行い飛躍的な高能率加工を実現したいという要望がある。【００１２】  縦送り加工や、横送り加工にそれぞれ特化したエンドミルは提案されている。例えば特許文献２に記載のエンドミルは、縦送り加工用として、縦送り時に大きな負荷が作用するエンドミル本体中心の先端側のギャッシュ面は強度を確保し、後端側のギャッシュ面は切り屑排出のための空間を確保したエンドミルである。特許文献３に記載のエンドミルは、高硬度材の高速横送り加工に適した複数段のギャッシュ面を構成するエンドミルである。しかし、これらの提案のエンドミルは、縦送り加工、横送り加工及び傾斜切削が複合した高能率加工にはエンドミル一本では使いづらい。【００１３】  たとえば、凹形状等の縦送りや傾斜切削を含む加工を行う場合、最初に縦送りに特化したエンドミルやドリルなどを用い、その後に横送りに特化したエンドミルで繰り広げることが多い。横送りの高速切削を行うには、工具剛性を考慮し、心厚の大きいもので、刃数の多いものを使用することが多い。しかし、エンドミルで縦送り加工を行うには、切り屑排出の問題で、高能率な加工が困難である。従来のエンドミルで縦送り加工を行うと、軸中心付近の底��によって生成される切り屑排出が悪く、切り屑つまりによる折損が生じやすくなる。また、切り屑排出を良好にするため、底刃のチップポケットを大きくすると、切り屑排出は良好となるが、横送り加工の際に底刃の剛性不足から欠損が発生しやすくなるという問題がある。【００１４】  本発明者の検討によると、超硬合金を母材とするエンドミルで、さらなる多機能な加工を高能率で行う場合、先端側のギャッシュ面と後端側のギャッシュ面のつなぎ部の長さの適正化は、工具剛性と切り屑排出を両立させるために重要であることが分かってきた。特許文献２及３のエンドミルでは、回転軸中心から前記つなぎ部の位置までの長さが長くなるため切り屑つまりによる欠損などの問題となることが多いことが確認された。【００１５】  従来の技術としては、不等分割刃型は存在するが、高速切削の場合には不等分割で刃溝が狭い部分が切り屑つまりの問題が生じること、そのために不等分割刃型で、ギャッシュを含みどのような刃底の形状にすれば良いかという問題認識は無かった。これは、従来の切り屑の処理は特許文献２や３のように、エンドミルの加工方向に適した個々のエンドミル形状にすれば良いという認識にとどまり、縦送り加工、横送り加工、および傾斜切削を含む複合加工であっても、一本のエンドミルで荒切削加工を高速で行うという本発明のような認識が無かったか、その手段が知られていなかったからである。【００１６】  本発明は、このような背景と課題認識の下に、びびり振動を抑制する不等分割刃型を採用し、ギャッシュ面の最適な形状を採用することによって、各刃溝の不均一による切り屑つまりによる異常摩耗や刃欠けを防止するとともに、縦送り加工、横送り加工、および傾斜切削を含む複合加工であっても、一本のエンドミルで許容回転数を高速に設定できる長寿命の超硬合金製エンドミルを提供することを目的とする。
【課題を解決するための手段】
【００１７】  本発明の超硬合金製エンドミル（以下、本発明エンドミルともいう）の特徴は、工具の材質が超硬合金製であり不等分割刃型を採用していること、一本のエンドミルで多方向に切削が可能な新規な形状のギャッシュ面を採用していること、及び外周刃には特定の硬質皮膜が被覆されていることであり、重要なことはこれらの本発明の要件による複合作用で、従来成しえなかった程の高能率荒加工を達成できることである。【００１８】  本発明者は、従来よりも大きい単位時間当たりの切り屑排出量を達成できる不等分割刃型で高速切削用の波型形状またはニック付きの外周刃を有する超硬合金製エンドミルで底刃の形状を種々検討した。その結果、本発明の超硬合金製エンドミルは、刃溝が不均一になるために生じる切り屑つまりを抑制できる新規の底刃形状として、底刃から排出される切り屑処理と、エンドミル先端付近の強度を中心から外周まで確保できる最適なギャッシュ形状を確認した。本発明は前記本発明の構成要件の相乗効果によって、一本の工具で縦送り加工、横送り加工、傾斜切削を含む多機能な加工ができる波形状又はニック付き外周刃を有する超硬合金製エンドミルを提供するものである。【００１９】  すなわち、第１の本発明のエンドミルは、複数の底刃及び複数の外周刃と、複数のギャッシュ面からなるギャッシュとを有する超硬合金製エンドミルであって、前記複数のギャッシュ面は、底刃のすくい面である第１ギャッシュ面、前記第１ギャッシュ面とは鋭角で交差して続きエンドミルの工具軸の回転中心側に設けられた第２ギャッシュ面、及び前記第１ギャッシュ面とは鈍角で交差して続きエンドミルの外周側かつ前記第２ギャッシュ面よりはエンドミルの後端側に設けられた第３ギャッシュ面から成り、前記複数の外周刃は、エンドミルの軸直角断面視でエンドミル外周面の周方向に隣接する外周刃が不等な分割角度で配置されたことを特徴とする超硬合金製エンドミルである。【００２０】  また、第２の本発明のエンドミルは、第１の本発明において、複数の外周刃はエンドミルの軸直角断面視で外周面の周方向に隣接する外周刃が不等な分割角度で配置され、前記複数の外周刃の分割角度のうち、最大の外周刃の分割角度は、３６０°を外周刃の数で除した等分割角度に対し、２〜２０％の比率で大きく設けたこと（以下、前記の比率を増大比率ともいう）を特徴とする前記記載の超硬合金製エンドミルである。【００２１】  また、第３の本発明のエンドミルは、第１の本発明または第２の本発明において、第１ギャッシュ面と第２ギャッシュ面の交差部と工具軸線に直交する平面とのなす角度を第１ギャッシュ角、前記第１ギャッシュ面と第３ギャッシュ面の交差部と工具軸線に直交する平面とのなす角度を第２ギャッシュ角としたとき、第１ギャッシュ角は１５°〜３５°、第２ギャッシュ角は４０°〜６０°であることを特徴とする超硬合金製エンドミルである。【００２２】  また、第４の本発明のエンドミルは、第１の本発明乃至第３の本発明のいずれかにおいて第２ギャッシュ面と第３ギャッシュ面のつなぎ部の長さは、工具回転軸からの距離として工具径の５％以上２０％未満としたことを特徴とする超硬合金製エンドミルである。【００２３】  また、本発明は、特定の硬質皮膜が被覆されていることにより、さらに特性が向上し、寿命も安定する。すなわち、第５の本発明のエンドミルは、少なくとも複数の底刃と外周刃には（ＴｉＡｌ）Ｎ系にＳｉを含有させた硬質皮膜が被覆されていることを特徴とする第１乃至第４の本発明のいずれかに記載の超硬合金製エンドミルである。
【発明の効果】
【００２４】  本発明の超硬合金製エンドミルによれば、不等分割刃型を採用しているので、びびり振動が抑制され、従来よりも大きい単位時間当たりの切り屑排出量を達成できる高切り込み高速切削が可能となる。不等分割刃型の欠点である刃溝の大きさの不均一性と、小さい刃溝で起こる切り屑つまりの問題に対しては、切削時に生じる切り屑の流れに着目して底刃のギャッシュ形状の最適化によりチップポケットを大きくしているので、切り屑つまりを抑制することができる。【００２５】  本発明の超硬合金製エンドミルは、切り屑のつまりがなく、工具軸中心が剛性の大きいギャッシュの形状なので、縦送り加工、横送り加工及び傾斜切削など多機能で高能率な加工を、切削方向が変化しても工具の交換をすることなく一本のエンドミルで達成できる。【００２６】  本発明のエンドミルのうち、少なくとも底刃と外周刃に硬質皮膜を被覆したものは、高速切削による高能率荒加工から高能率中仕上げ加工が安定して可能となり、硬質皮膜のないものと比較して、さらに長寿命に加工が行える超硬合金製エンドミルを提供することができる。【００２７】  本発明のエンドミルは、上記で述べた効果の相乗効果により、等分割に配置された従来のエンドミルと比較して、横送り加工時には、本発明の超硬合金製エンドミルは切削速度を１．５倍以上の高能率加工を達成できる。さらに、ギャッシュの形状を最適化しているため、傾斜切削時には、従来のエンドミルと比較して、本発明の超硬合金製エンドミルは１．５倍以上の送り速度の高能率加工が達成できる。【００２８】  具体的には、等分割に配置された従来のエンドミルと比較して、本発明エンドミルの切削速度を周速１５０ｍ／ｍｉｎを超える条件も可能である。このような高能率加工の本発明の効果は、主に不等分割刃型と新規なギャッシュの形状の相乗効果であり、さらに硬質皮膜を被覆すれば、その効果が追加付与される。【００２９】  本発明によれば、従来の高速度工具鋼製のエンドミルと比較して、工具の寿命延長は期待できるが脆性材料のために欠損の危険性の高い超硬合金製エンドミルの切れ刃のチッピングや折損が防止でき、長寿命に加工が行える超硬合金製エンドミルを提供することができる。
【図面の簡単な説明】
【００３０】
【図１】本発明の一実施例を示す超硬合金製エンドミルの全体概観図である。
【図２】図１の底刃近傍の拡大図である。
【図３】第１ギャッシュ面と平行な平面で切断したギャッシュ形状を表す図２のＢ−Ｂ´部分断面図である。
【図４】図１の外周刃Ａ−Ａ´断面の拡大図であり、（ａ）は波形状外周刃の拡大図を示し、（ｂ）はニック付き外周刃としたときのニック付き外周刃の拡大図を示す。
【図５】図１の軸直角断面図を示す。
【図６】各刃の分割角が異なる本発明のエンドミルの軸直角断面図を示す。
【図７】従来の等分割エンドミルの軸直角断面図を示す。
【発明を実施するための形態】
【００３１】  以下、本発明を実施するための形態を図１〜図６に基づいて説明する。図１は本発明の一実施例を示す超硬合金製エンドミルの全体概観図である。図１は工具径Ｄで外周側に切り屑排出用の刃溝５と、刃数が４枚の外周刃１及び底刃４を有する例である。前記外周刃１には工具先端側２から工具シャンク側３に向かって波形状外周刃が設けられている。前記刃数は、２枚以上であれば、位相をずらすことが可能であるため刃数は必要に応じて変え得る。例えば、アルミニウムなどの切削は切り屑の排出が多いため刃数は２枚程度とし、切り屑排出用のチップポケットを大きめに設定し、また、被削材が高硬度材の切削は刃数を８枚まで増やし、高送りに対応することができる。
【００３２】  図２は、図１の底刃近傍の拡大図である。図のギャッシュには、底刃のすくい面である第１ギャッシュ面６、エンドミルの工具軸の回転中心側に第２ギャッシュ面７、エンドミルの外周側に第３ギャッシュ面８が設けられている。
【００３３】  図３は第１ギャッシュ面と平行な平面で切断したギャッシュ形状を表す図２のＢ−Ｂ´部分断面図である。なお、図３の斜線部は断面を示す。図３において第１ギャッシュ面と第２ギャッシュ面の交差部９と軸線に直交する平面とのなす角度を第１ギャッシュ角１０、第１ギャッシュ面と第３ギャッシュ面の交差部１１と軸線に直交する平面とのなす角度を第２ギャッシュ角１２とする。
本発明の望ましい態様は、第１ギャッシュ角１０が１５°〜３５°、第２ギャッシュ角１２が４０°〜６０°であり、第２ギャッシュ面と第３ギャッシュ面のつなぎ部の長さ１３は工具回転軸から工具径Ｄの５％以上２０％未満である。さらに望ましいつなぎ部の長さ１３は７％乃至１５％である。この条件を満足することにより、工具回転軸中心付近は剛性が確保でき、外周側は大きなチップポケットで十分な空間ができ、切り屑つまりによる欠損が防止出来る。ここで、つなぎ部の長さ１３とは、回転軸中心から直角方向にみた第２ギャッシュ面と第３ギャッシュ面のつなぎ部までの長さをいう。
【００３４】  第１ギャッシュ角を１５°〜３５°とすると、工具回転軸付近の剛性が確保でき、切り屑の排出性が良好になるので望ましい。第１ギャッシュ角が１５°未満の場合は、工具回転輔中心部付近のチップポケットが狭くなるため、切り屑つまりによる異常摩耗が生じることがある。また、第１ギャッシュ角が３５°を超える場合、工具径が小さくなると底刃の中心付近の剛性不足により欠損が生じることがある。
【００３５】  さらに第２ギャッシュ面と第３ギャッシュ面のつなぎ部の長さは工具回転軸から工具径の５％以上２０％未満とすることにより、底刃の工具回転軸付近の剛性を確保し、外周の溝への切り屑の排出が良好になる。第２ギャッシュ面と第３ギャッシュ面のつなぎ部の長さが工具回転軸から工具径の５％未満の場合、第３ギャッシュ面が工具回転軸付近より近く設けられることになり、底刃の工具回転軸付近の剛性が低くなり、底刃の工具回転軸付近での欠損が生じやすくなる。また、前記つなぎ部の長さが工具回転軸から２０％以上の場合、底刃によって生成された切り屑が第２ギャッシュ面に押し付けられる時間が長くなり、高速切削の場合、第２ギャッシュ面に滞留して切り屑排出性が悪くなり、切り屑つまりが生じやすく底刃の欠損につながりやすくなる。
【００３６】  次に、第２ギャッシュ角の望ましい範囲を４０°〜６０°としたのは、縦送り加工及び傾斜切削の際に、底刃で生成された切り屑の排出性を検討した結果である。第２ギャッシュ角が４０°未満の場合、第２ギャッシュ面に押し付けられた切り屑は、第３ギャッシュ面によって外周の刃溝に流れにくく、工具の外側に飛ばされる。特に、縦送り加工においては、工具の外側はすべて加工穴の壁面であり、また、傾斜切削でも一部に加工済みの壁面があり、切り屑を工具外側へ排出することが困難となりやすい。よって、第２ギャッシュ角が４０°未満の場合は、底刃から排出された切り屑は外周の溝への流れが悪くなり、切り屑つまりが生じやすくなる。また、第２ギャッシュ角が６０°を超えた場合、切り屑排出用のチップポケットは大きくなり、底刃によって生成された切り屑は外周の刃溝へ流れやすくなり、切り屑の排出は問題ないが、工具径が小さい場合には工具先端付近の剛性が弱くなるため、欠損が生じやすくなる。
【００３７】  前記のように第１ギャッシュ角と第２ギャッシュ角を適正な範囲に設定することで、縦送り加工及び傾斜切削を行った際の、底刃で生成された切り屑の排出性が良好となる。このとき、底刃で生成された切り屑の排出性は、外周刃の形状に影響を受けないため、外周刃がニック付き外周刃であるエンドミルを用いた場合においても、同様の効果が得られる。
【００３８】  図４は図１の外周刃Ａ−Ａ´断面の拡大図である。なお、図４（ａ）、（ｂ）の斜線部は断面を示す。図４（ａ）は波形状外周刃の拡大図を示す。通常波形状外周刃の刃形は図４のように波ピッチ１４ごとに波高さ１５の山部１６と谷部１７を繰り返した刃形であり、切り屑を細かく分断できる刃形となる。図４（ｂ）はニック付き外周刃としたときのニック付き外周刃の拡大図を示す。ニック付き刃形においても、外周刃とニックの交点２０の間隔であるニックのピッチ１８ごとにニックの深さ１９の溝が入った形状を繰り返し、切り屑を分断出来る刃形となる。この刃形は、切り屑を分断することにより切削抵抗を抑制出来る効果がある。
【００３９】  図５は図１の軸直角断面図を示す図である。図５に示すエンドミルは、刃数が４枚であり、対となる分割角度が等しい不等分割刃型のエンドミルであるため、最大の外周刃の分割角度２１が２箇所となる。よって、隣合う刃溝５の大きさは不均一になり、刃溝５の大きい外周刃と小さい刃溝５が混在することとなる。図６は各刃の分割角が異なる本発明のエンドミルの軸直角断面図を示す図である。図６は図５と同様に４枚刃のエンドミルであるが、各々の分割角度が異なるため、最大の外周刃の分割角度２１は１箇所となり、刃溝５の大きさはそれぞれ不均一となる。
【００４０】  図７は従来の等分割エンドミルの軸直角断面図であり、各刃の分割角度は９０°となり、分割角度が等しいため、刃溝５は均一に設けられる。刃溝５の大きさが均一であれば切り屑排出が良好となるが、切削加工時に切削力の周期が一定となるため、びびり振動が生じやすい。
【００４１】  本発明では、最大の外周刃の分割角度は３６０°を外周刃の数で除した角度に対し、２〜２０％の比率で大きく設けることが望ましい。さらに前記の望ましい増大比率は４〜１２％である。前記の２％に近い例としては、例えば、刃数が４枚刃のときに、それぞれの分割角度を９２°、８８°、９２°、８８°とすると、最大の外周刃の分割角度は９２°であり３６０°を外周刃数の４で除した等分割角度である９０°に対し、比率で２．２％大きい最大の分割角度を設けたものとなる。前記の比率が２０％に近い例としては、刃数が４枚刃のときに、それぞれの分割角度を１０８°、７２°、１０８°、７２°とすると、最大の外周刃の分割角度は１０８°であり、３６０°を外周刃数の４で除した等分割角度９０°に対し、比率で２０％大きい最大の分割角度を設けたものとなる。
【００４２】  ここで、最大の外周刃の分割角度の等分割角度からの増大比率を２％未満とすると、共振によるびびり振動の抑制効果はほとんど無く、また前記増大比率が２０％より大きくなると、刃溝が小さくなる外周刃は底刃を改善しても、刃元付近の切り屑排出性が悪く、欠損等に繋がる。このように、本発明においては、単純に外周刃を不等分割の配列にするだけではなく、工具の共振に起因するびびり振動の大幅な抑制と、不等分割と新規なギュッシュの形状との組合せにより、切り屑排出性をも最大限に発揮するには不等分割の分割角度の程度（増大比率）を制限することが望ましい。
【００４３】  以下、本発明を下記の実施例により詳細に説明するが、それらにより本発明が限定されるものではない。
【実施例】
【００４４】  以下の表中にある各実施例では、本発明、従来例、比較例を区分として示し、試料番号は本発明例、従来例、比較例ごとに、連続の通し番号で記載した。各表の中の比率とは不等分割角度の増大比率（％）のことである。【００４５】  （実施例１）
実施例１は、第１ギャッシュ面以外に本発明の特徴である第２ギャッシュ面と第３ギャッシュ面を有する超硬合金製エンドミルで、ギャッシュの最適な形状を確認するために行った実施例である。また、従来例１として、従来の超硬合金製エンドミルである第３ギャッシュ面の無いもの、従来例２として、従来の超硬合金製エンドミルである第３ギャッシュ面が無く、不等分割刃型を採用したもの、従来例３として、特許文献２に記載の超硬合金製エンドミルであるギャッシュノッチ角を規定したもの、及び従来例４として、特許文献３に記載の超硬合金製エンドミルである外周側のギャッシュ角を回転中心側のギャッシュ角より大きく設けたものを製造し、本発明のエンドミルと比較した。【００４６】  本発明例１〜１９、従来例１〜４においては母材はＣｏ含有量が８質量パーセント、ＷＣ平均粒径が０．８μｍの超硬合金で、工具径８ｍｍ、刃長１６ｍｍ、全長７０ｍｍ、シャンク径８ｍｍで刃数は４枚とした。外周刃の形状は波形状外周刃とし、波ピッチを１ｍｍで、ねじれ角は４５°とし、用いた試料はすべて（ＴｉＡｌ）Ｎ系にＳｉを含有させた硬質皮膜を底刃と外周刃に施した。
また、本発明例１〜２０及び従来例２は不等分割刃型で、それぞれの分割角は９５°、８５°、９５°、８５°とした。よって、この場合の最大の外周刃の分割角度は９５°であり、３６０°を外周刃数の４で除した９０°に対し、比率で５．６％大きく設けたことになる。【００４７】  本発明例１〜７は、第２ギャッシュ角を５０°、第２ギャッシュ面と第３ギャッシュ面のつなぎ部の長さが工具回転軸からの距離で工具径の９％とした０．７２ｍｍとし、第１ギャッシュ角をそれぞれ１０°、１５°、２０°、２５°、３０°、３５°、４０°とした。【００４８】  本発明例８〜１３は、第１ギャッシュ角を２５°、第２ギャッシュ面と第３ギャッシュ面のつなぎ部の長さが工具回転軸からの距離で工具径の９％とした０．７２ｍｍの長さとし、第２ギャッシュ角をそれぞれ３５°、４０°、４５°、５５°、６０°、６５°とした。【００４９】  本発明例１４〜２０は、第１ギャッシュ角を２５°、第２ギャッシュ角を５０°とし、第２ギャッシュ面と第３ギャッシュ面のつなぎ部の長さはそれぞれ工具回転軸からの直角方向での距離で工具径の０％、３％、５％、１０％、１５％、２０％、２５％の長さとした。【００５０】  従来例１及び２として、第１ギャッシュ角が２５°で第３ギャッシュ面がないものとし、従来例３は、特許文献２に記載のものと同仕様とし、第２ギャッシュ面と第３ギャッシュ面のつなぎ部の長さが工具回転軸からの距離で工具径の２０％とした１．６ｍｍで、第１ギャッシュ角が２５°、第２ギャッシュ角が５０°とした。【００５１】  従来例４として、特許文献３の図１に記載のものと同仕様とし、第２ギャッシュ面と第３ギャッシュ面のつなぎ部の長さが工具回転軸からの距離で工具径の２３．５％とした１．７６ｍｍで、第１ギャッシュ角が２５°、第２ギャッシュ角が５０°のものを作製した。【００５２】  実施例１の切削条件と評価方法は、前記２４種類のエンドミルで、硬さＨＲＣ４２のプリハードン鋼を被加工材として幅５０ｍｍ、長さ５０ｍｍ、深さ２４ｍｍの凹形状を加工した。テストは、傾斜切削で深さ８ｍｍまで切削し、次に横送りで繰り広げて幅５０ｍｍ、長さ５０ｍｍまでの切削を３回繰り返し、深さ２４ｍｍまで加工する方法で比較した。すなわち、本テストは縦送り加工、横送り加工、及び傾斜切削が複合した形状での切削テストである。従来ＨＲＣ４２の被加工材を切削する場合は切削速度は１００ｍ／ｍｉｎでも高速であるが、切削条件は回転数を６０００回転／ｍｉｎ（切削速度１５０ｍ／ｍｉｎ）、送り速度を１９２０ｍｍ／ｍｉｎ（１刃送り量０．０８ｍｍ）とし、軸方向切り込みを８ｍｍ、径方向切り込みを２ｍｍ、傾斜切削時の送り速度は１２００ｍｍ／ｍｉｎとし、傾斜角１０°とした。
評価として、前記形状が１個加工できたものを良好とし、そのときの磨耗幅を測定した。加工終了後に欠損及び加工途中で折損したものはその結果を記録した。その結果を表１に示す。【００５３】
【表１】
2011062807.tif 000003
【００５４】  結果として、本発明例１〜２０はびびり振動もなく、切り屑つまりもなかったため、傾斜切削・横送り加工共に安定した加工が行えた。特に第１ギャッシュ角が１５°〜３５°である本発明例２〜６は凹形状を１個加工後でも摩耗幅が０．１ｍｍ未満であり、さらに良好な結果が得られた。また、第２ギャッシュ角が４０°〜６０°である本発明例９〜１２も凹形状を１個加工後でも摩耗幅が０．１ｍｍ未満であり良好な結果が得られた。さらに、第２ギャッシュ面と第３ギャッシュ面のつなぎ部の長さは、工具回転軸から直角方向にみた第２ギャッシュ面と第３ギャッシュ面のつなぎ部までの距離として工具径の５％以上２０％未満である本発明例１６〜１８も凹形状を１個加工後でも摩耗幅が０．１ｍｍ未満であり良好な結果が得られた。【００５５】  従来例１及び２は、加工開始直後の傾斜切削時に折損した。この原因は、第３ギャッシュ面が無いため、刃溝の小さくなる外周刃で切り屑つまりが生じたためと考えられる。従来例３及び４は凹形状を１個加工できたが、切り屑つまりにより底刃の工具回転軸付近から大きく欠損していた。これらの従来例は第２ギャッシュ面と第３ギャッシュ面のつなぎ部の長さが適正値より長いためと考えられる。【００５６】  （実施例２）
実施例２は不等分割の最適な分割角度の検討を行った実施例である。本発明例２１〜２６、従来例５は第１ギャッシュ角を２５°、第２ギャッシュ角を５０°、中心からのつなぎ部の長さが工具回転軸から工具径の９％の０．７２ｍｍとして仕様を統一した。【００５７】  本発明例２１は、それぞれの分割角度を９２°、８８°、９２°、８８°とし、最大の外周刃の分割角度は９２°であり、３６０°を外周刃数の４で除した９０°に対し、比率で２．２％大きい最大の分割角度を設けたものを作製した。
本発明例２２は、それぞれの分割角度を９５°、８５°、９５°、８５°とし、最大の外周刃の分割角度は９５°であり、３６０°を外周刃数の４で除した９０°に対し、比率で５．６％大きい最大の分割角度を設けたものを作製した。
本発明例２３は、それぞれの分割角度を１００°、８０°、１００°、８０°とし、最大の外周刃の分割角度は１００°であり、３６０°を外周刃数の４で除した９０°に対し、比率で１１．１％大きい最大の分割角度を設けたものを作製した。
本発明例２４は、それぞれの分割角度を１０５°、７５°、１０５°、７５°とし、最大の外周刃の分割角度は１０５°であり、３６０°を外周刃数の４で除した９０°に対し、比率で１７．７％大きい最大の分割角度を設けたものを作製した。
本発明例２５は、それぞれの分割角度を１０８°、７２°、１０８°、７２°とし、最大の外周刃の分割角度は１０８°であり、３６０°を外周刃数の４で除した９０°に対し、比率で２０．０％大きい最大の分割角度を設けたものを作製した。
本発明例２６は、それぞれの分割角度を１１０°、７０°、１１０°、７０°とし、最大の外周刃の分割角度は１１０°であり、３６０°を外周刃数の４で除した９０°に対し、比率で２２．２％大きい最大の分割角度を設けたものを作製した。【００５８】  従来例５は、各刃の分割角は９０°であり等分割のエンドミルを作製した。【００５９】  本発明例２１〜２６、従来例５においては母材はＣｏ含有量が８質量パーセント、ＷＣ平均粒径が０．８μｍの超硬合金とした。仕様としては全てのエンドミルで工具径８ｍｍ、刃長１６ｍｍ、全長７０ｍｍ、シャンク径８ｍｍで刃数は４枚とした。また、外周刃の形状は波形状外周刃とし、波ピッチを１ｍｍで、ねじれ角は４５°とし、用いた試料はすべて（ＴｉＡｌ）Ｎ系にＳｉを含有させた硬質皮膜を底刃と外周刃に施した。
テストは、硬さＨＲＣ４０の熱間ダイス鋼ＳＫＤ６１を被加工材として切削を行った。従来では切削速度は１００ｍ／ｍｉｎでも高速であるが、１．５倍である１５０ｍ／ｍｉｎ（回転数６０００回転／ｍｉｎ）に設定し、送り速度を１６００ｍｍ／ｍｉｎ（１刃送り量０．０６ｍｍ）とした。軸方向切り込みを４ｍｍ、径方向切り込みを４ｍｍとして、寿命テストを行った。評価として、５ｍ毎に外周刃を観察し、５０ｍまで切削を行い欠損及びチッピングの無いものを良好として、そのときの摩耗幅を測定した。また、５０ｍまでに外周刃を観察し欠損及びチッピングが生じたものはその時点で終了し、切削長を記録した。その結果を表２に示す。【００６０】
【表２】
2011062807.tif 000004
【００６１】  結果として、本発明例２１〜２６は安定した加工ができ、５０ｍ切削が可能であった。特に不等分割角度の増大比率が２〜２０％となる本発明例２１〜２５は摩耗幅が０．１２ｍｍ以下であり、良好な結果が得られた。等分割品である従来例５はびびり振動が大きく、切削長２０ｍの時に欠損が生じる結果となった。
【産業上の利用可能性】
【００６２】  本発明の超硬合金製エンドミルによれば、不等分割刃型を採用しているので、びびり振動が抑制され、従来よりも大きい単位時間当たりの切り屑排出量を達成できる高切り込み高速切削が可能となる。不等分割刃型の欠点である刃溝の大きさの不均一性と、小さい刃溝で起こる切り屑つまりの問題に対しては、切削時に生じる切り屑の流れに着目して底刃のギャッシュ形状の最適化によりチップポケットを大きくしているので、切り屑つまりを抑制することができる。そのため、縦送り加工、横送り加工及び傾斜切削など多機能で高能率な加工を、切削方向が変化しても工具の交換をすることなく一本のエンドミルで達成できる。
【符号の説明】
【００６３】１  外周刃
２  工具先端側
３  工具シャンク側
４  底刃
５  刃溝
６  第１ギャッシュ面
７  第２ギャッシュ面
８  第３ギャッシュ面
９  第１ギャッシュ面と第２ギャッシュ面の交差部
１０  第１ギャッシュ角
１１  第１ギャッシュ面と第３ギャッシュ面の交差部
１２  第２ギャッシュ角
１３  つなぎ部の長さ
１４  波ピッチ
１５  波高さ
１６  山部
１７  谷部
１８  ニックのピッチ
１９  ニックの深さ
２０  外周刃とニックの交点
２１  最大の外周刃の分割角度
Ｄ  工具径
【図１】
2011062807.tif 000005
【図２】
2011062807.tif 000006
【図３】
2011062807.tif 000007
【図４】
2011062807.tif 000008
【図５】
2011062807.tif 000009
【図６】
2011062807.tif 000010
【図７】
2011062807.tif 000011